(57)【要約】      （修正有）【課題】ドッキングステーションの構造を簡素化して施工コストを抑えるとともに、ハンディ端末の電源電圧をドッキングステーションからの電力供給をもとに充電する。【解決手段】玄関子機１のカメラにて撮像し生成される映像信号を出画するモニタ３０５を、ドッキングステーション２のステーションコネクタ２００に端末コネクタ３００で着脱自在で接続されるハンディ端末３に備える。また、ドッキングステーションにコネクタ接続されたハンディ端末への電源電圧を、ステーション電源部２０５からの電力供給をもとに端末電源部３０７に充電させる。さらに、ドッキングステーションにハンディ端末がコネクタ接続されたとき、ステーション電源部から端末電源部への電源供給と、映像信号を有線でハンディ端末のモニタへ出画する信号送信とを、ステーションＣＰＵ２０９の制御により行う。【選択図】図２
2010034867.tif 000002
【特許請求の範囲】
【請求項１】
住戸外に設置され、前記住戸外の映像を撮像して映像信号を生成するためのカメラ（１０１）を備える玄関子機（１）と、住戸内に設置され、前記玄関子機からの呼び出しが報知され、前記呼び出しに応答して通話を成立させるためのステーションマイク（２０２）及びステーションスピーカ（２０３）を備えるドッキングステーション（２）と、前記ドッキングステーションに着脱自在にコネクタ接続され、前記ドッキングステーションとの間で無線通信を行い、前記玄関子機の前記カメラにて生成された映像信号を出画するためのモニタ（３０５）を備えるハンディ端末（３）とを有し、
前記ドッキングステーションには、前記ハンディ端末を接続するためのステーションコネクタ（２００）と、前記ステーションコネクタに接続された前記ハンディ端末に電力供給するためのステーション電源部（２０５）とを備え、
前記ハンディ端末には、前記ドッキングステーションに接続するための端末コネクタ（３００）と、前記端末コネクタに接続された前記ドッキングステーションの前記ステーション電源部から電力供給されてくる電源電圧を充電するための端末電源部（３０７）とを備えることを特徴とするワイヤレスインターホン装置。
【請求項２】
前記ドッキングステーションには、前記ハンディ端末を呼び出すための内線呼出ボタン（２０１）を備えることを特徴とする請求項１記載のワイヤレスインターホン装置。
【請求項３】
前記ドッキングステーションは、長押し等の所定の操作を行うことで前記ハンディ端末を連続モードで内線呼び出しすることを特徴とする請求項１又は請求項２記載のワイヤレスインターホン装置。
【請求項４】
前記ハンディ端末には、前記玄関子機からの呼び出し又は前記ドッキングステーションからの内線呼び出しが報知され、前記呼び出し又は前記内線呼び出しに応答して通話を成立させるための端末マイク（３０２）及び端末スピーカ（３０３）を備えることを特徴とする請求項２又は請求項３記載のワイヤレスインターホン装置。
【請求項５】
前記ドッキングステーションには、前記ステーションコネクタに前記ハンディ端末の前記端末コネクタが接続されたとき、前記ステーション電源部から前記端末電源部への電力供給と、前記玄関子機の前記カメラにて生成された映像信号を有線で前記モニタへ高画質で出画する信号送信とを行うためのステーションＣＰＵ（２０９）を備えることを特徴とする請求項１乃至請求項４のうち何れか１項記載のワイヤレスインターホン装置。
【発明の詳細な説明】
【技術分野】
【０００１】
本発明はワイヤレスインターホン装置に係り、特に、ドッキングステーションに有線接続される子機からの呼び出しを、このドッキングステーションにコネクタ接続で着脱自在なハンディ端末に無線通信で報知することができるワイヤレスインターホン装置に関する。
【背景技術】
【０００２】
従来から、この種のワイヤレスインターホン装置として、親機を中継して増設親機がカメラ付き子機からの撮像映像を確認可能なワイヤレスインターホン装置が開示されている（例えば、特許文献１を参照。）。
【０００３】
このワイヤレスインターホン装置において、親機は、カメラ付き子機の呼出し釦が来客によって操作されるとカメラ付き子機へ給電を開始し、カメラ付き子機からの撮像映像を表示パネルにモニタ表示して、さらに、通話釦が居住者によって操作されると、カメラ付き子機との通話を開始し、居住者は、撮影映像を表示パネルで確認しながら、マイクロホンおよびスピーカを用いて通話を行うことができる。
【０００４】
また、増設親機は、カメラ付き子機の呼出し釦が来客によって操作されると、カメラ付き子機からの撮像映像を表示パネルにモニタ表示して、さらに、通話釦が居住者によって操作されると、カメラ付き子機との通話を開始し、居住者は、撮影映像を表示パネルで確認しながら、マイクロホンおよびスピーカを用いて通話を行うことができる。
【０００５】
【特許文献１】特開２００７−３１８３７９号公報
【発明の開示】
【発明が解決しようとする課題】
【０００６】
背景技術に記載した特許文献１のワイヤレスインターホン装置によれば、カメラ付き子機の呼出し釦が来客によって操作されたときの撮像映像は、親機及び増設親機のそれぞれの表示パネルにモニタ表示される。しかしながら、近年におけるワイヤレスインターホン装置の使用形態として、居住者が住戸内にて使用する機器は、その利便性及び携帯性を鑑み、増設親機が主とされている。これにより、増設親機の表示パネルよりも通常、サイズが大きいとされる親機の表示パネルは、その必要性が低く、この表示パネルを親機に備えることにより、施工コストが高価となる難点があった。
【０００７】
また、背景技術に記載した特許文献１のワイヤレスインターホン装置によれば、親機を中継して増設親機がカメラ付き子機からの撮像映像をモニタ表示できるものの、増設親機の電源電圧を親機の作用により電力供給し充電させる機能が何ら備えられておらず、この電源電圧を確保するにあたっては、例えば、着脱自在な電池を増設親機に取り付ける、或いは、必要な電源電圧を予め増設親機に充電させておく必要があった。
【０００８】
本発明は、これらの難点を解消するためになされたもので、ドッキングステーションに有線接続される子機からの呼び出しを、このドッキングステーションにコネクタ接続で着脱自在なハンディ端末に無線通信で報知するにあたり、ドッキングステーションの構造を簡素化して施工コストを抑えるとともに、ハンディ端末の電源電圧をドッキングステーションからの電力供給をもとに充電することができるワイヤレスインターホン装置を提供することを目的としている。
【課題を解決するための手段】
【０００９】
前述の目的を達成するため、本発明の第１の態様であるワイヤレスインターホン装置は、住戸外に設置され、住戸外の映像を撮像して映像信号を生成するためのカメラを備える玄関子機と、住戸内に設置され、玄関子機からの呼び出しが報知され、呼び出しに応答して通話を成立させるためのステーションマイク及びステーションスピーカを備えるドッキングステーションと、ドッキングステーションに着脱自在でコネクタ接続され、ドッキングステーションとの間で無線通信を行い、玄関子機のカメラにて生成された映像信号を出画するためのモニタを備えるハンディ端末とを有するものである。ドッキングステーションには、ハンディ端末を接続するためのステーションコネクタと、ステーションコネクタに接続されたハンディ端末に電力供給するためのステーション電源部とを備えている。ハンディ端末には、ドッキングステーションに接続するための端末コネクタと、端末コネクタに接続されたドッキングステーションのステーション電源部から電力供給されてくる電源電圧を充電するための端末電源部とを備えている。
【００１０】
また、本発明の第２の態様であるワイヤレスインターホン装置は、本発明の第１の態様において、ドッキングステーションには、ハンディ端末を呼び出すための内線呼出ボタンを備えている。
【００１１】
また、本発明の第３の態様であるワイヤレスインターホン装置は、本発明の第１の態様又は第２の態様において、ドッキングステーションは、長押し等の所定の操作を行うことでハンディ端末を連続モードで内線呼び出しするものである。
【００１２】
また、本発明の第４の態様であるワイヤレスインターホン装置は、本発明の第２の態様又は第３の態様において、ハンディ端末には、玄関子機からの呼び出し又はドッキングステーションからの内線呼び出しが報知され、呼び出し又は内線呼び出しに応答して通話を成立させるための端末マイク及び端末スピーカを備えている。
【００１３】
また、本発明の第５の態様であるワイヤレスインターホン装置は、本発明の第１の態様乃至第４の態様において、ドッキングステーションには、ステーションコネクタにハンディ端末が接続されたとき、ステーション電源部から端末電源部への電力供給と、玄関子機のカメラにて生成された映像信号を有線でモニタへ高画質で出力する信号送信とを行うためのステーションＣＰＵを備えている。
【発明の効果】
【００１４】
本発明のワイヤレスインターホン装置によれば、玄関子機のカメラにて撮像し生成される映像信号を出画するモニタを、ドッキングステーションのステーションコネクタに端末コネクタで着脱自在で接続されるハンディ端末に備えることにより、ドッキングステーションの構造が簡素化され施工コストを抑えることができるばかりでなく、ドッキングステーションにコネクタ接続されたハンディ端末への電源電圧を、ステーション電源部からの電力供給をもとに端末電源部に充電させることにより、ドッキングステーションにハンディ端末をコネクタ接続させるのみで、ハンディ端末への電源電圧の充電が容易となる。
【００１５】
また、本発明のワイヤレスインターホン装置によれば、ドッキングステーションからハンディ端末を容易に内線呼び出しすることができ、利便性が高められるばかりでなく、ドッキングステーションからハンディ端末への内線呼び出しを連続モードで行うことにより、ハンディ端末の紛失等の理由でその所在が不明な場合であっても、その発見が容易となる。
【００１６】
また、本発明のワイヤレスインターホン装置によれば、ドッキングステーションにコネクタ接続で着脱自在なハンディ端末に対して、ドッキングステーションに有線接続される子機からの呼び出し、又はドッキングステーションからの内線呼び出しを無線通信で報知することにより、このハンディ端末が応答することで通話を成立させることができる。
【００１７】
さらに、本発明のワイヤレスインターホン装置によれば、ドッキングステーションにハンディ端末がコネクタ接続されたとき、ステーション電源部から端末電源部への電源供給と、玄関子機のカメラにて撮像し生成される映像信号を有線でハンディ端末のモニタへ出画する信号送信とを行うことができ、映像信号の無線送信時と比較して高画質での出画が可能となる。
【発明を実施するための最良の形態】
【００１８】
以下、本発明のワイヤレスインターホン装置を適用した最良の実施の形態例について、図面を参照して説明する。
【００１９】
図１は、本発明の実施例によるワイヤレスインターホン装置の全体構成を示すシステム説明図である。このワイヤレスインターホン装置には、住戸玄関等の住戸外に設置される玄関子機１と、住戸内に所定の位置として、例えば、壁掛けや机置き等の形態で設置され、伝送路Ｌ1を経由して有線接続される玄関子機１からの呼び出しが報知され、この呼び出しに応答して通話を成立させるためのドッキングステーション２と、ドッキングステーション２に着脱自在でコネクタ接続され、当該ドッキングステーションとの間で無線通信を行うにあたり、玄関子機１からの呼び出しが報知され、この呼び出しに応答して通話を成立させるとともに、当該ドッキングステーションとの間で内線呼び出しを行い、内線通話を成立させるためのハンディ端末３とを有している。
【００２０】
玄関子機１には、呼出ボタン１００、カメラ１０１、子機マイク１０２及び子機スピーカ１０３が備えられている。ここで、呼出ボタン１００は、住戸外に居る人物、例えば、来訪者が住戸内に在室中の居住者を呼び出すために操作するものである。また、カメラ１０１は、来訪者の映像や住戸外の映像を撮像し、映像信号を生成するためのものであり、例えば、ＣＣＤ、ＣＭＯＳ等の各種の映像撮像媒体で構成されている。さらに、子機マイク１０２及び子機スピーカ１０３は、来訪者が居住者との間で通話を成立させるための音声信号（送話音声信号、受話音声信号）を入出力するものであり、この子機マイク１０２は、例えば、監視用として、住戸外の周囲環境音を集音することもできる。
【００２１】
ドッキングステーション２には、ステーションコネクタ２００、ステーション内線呼出ボタン２０１、ステーションマイク２０２、ステーションスピーカ２０３及びステーション通話ボタン２０４が備えられている。ここで、ステーションコネクタ２００は、ハンディ端末３の後述する端末コネクタ３００を着脱自在にコネクタ接続するためのものである。また、ステーション内線呼出ボタン２０１は、当該ドッキングステーションを使用する居住者がハンディ端末３を使用する（別途の）居住者を呼び出す、すなわち、内線呼び出しのために操作するものである。また、ステーションマイク２０２及びステーションスピーカ２０３は、当該ドッキングステーションを使用する居住者が来訪者又はハンディ端末３を使用する（別途の）居住者との間で通話を成立させるための音声信号（送話音声信号、受話音声信号）を入出力するものであり、このステーションスピーカ２０３は、来訪者による玄関子機１からの呼び出し、又は別途の居住者によるハンディ端末３からの内線呼び出しを、異なるパターンの音色で呼出報知させる呼出音や音声メッセージ等を出力することができる。さらに、ステーション通話ボタン２０４は、来訪者による玄関子機１からの呼び出し、又は別途の居住者によるハンディ端末３からの内線呼び出しに、呼出先である当該ドッキングステーションを使用する居住者が応答するための操作（応答操作）を行うとともに、成立中の通話を終了させるための操作（終話操作）を行うものである。
【００２２】
ハンディ端末３には、端末コネクタ３００、端末内線呼出ボタン３０１、端末マイク３０２、端末スピーカ３０３、端末通話ボタン３０４、モニタ３０５及びモニタボタン３０６が備えられている。ここで、端末コネクタ３００は、ドッキングステーション２のステーションコネクタ２００に着脱自在でコネクタ接続するためのものである。また、端末内線呼出ボタン３０１は、当該ハンディ端末を使用する居住者がドッキングステーション２を使用する（別途の）居住者を呼び出す、すなわち、内線呼び出しのために操作するものである。また、端末マイク３０２及び端末スピーカ３０３は、当該ハンディ端末を使用する居住者が来訪者又はドッキングステーション２を使用する（別途の）居住者との間で通話を成立させるための音声信号（送話音声信号、受話音声信号）を入出力するものであり、この端末スピーカ３０３は、来訪者による玄関子機１からの呼び出し、又は別途の居住者によるドッキングステーション２からの内線呼び出しを、異なるパターンの音色で呼出報知させる呼出音や音声メッセージ等を出力することができる。また、端末通話ボタン３０４は、来訪者による玄関子機１からの呼び出し、又は別途の居住者によるドッキングステーション２からの内線呼び出しに、呼出先である当該ハンディ端末を使用する居住者が応答するための操作（応答操作）を行うとともに、成立中の通話を終了させるための操作（終話操作）を行うものである。また、モニタ３０５は、玄関子機１のカメラ１０１にて撮像し生成された映像信号を出画するためのものであり、例えば、ＬＣＤ、ＰＤＰ、有機ＥＬディスプレイ等の各種の映像表示媒体で構成されており、このモニタ３０５には、来訪者による玄関子機１からの呼び出し、又は別途の居住者によるドッキングステーション２からの内線呼び出しを示す文字メッセージや絵データ等を表示させることもできる。さらに、モニタボタン３０６は、モニタ３０５を駆動させて出画状態とし、玄関子機１のカメラ１０１にて撮像し生成された映像信号を出画させるためのものである。
【００２３】
なお、ハンディ端末３において、端末内線呼出ボタン３０１、端末通話ボタン３０４及びモニタボタン３０６はそれぞれ、独立した操作ボタンの形態に限定されず、モニタ３０５の前面に配置されるタッチパネル（図中、破線で示す。）として設けることもできる。
【００２４】
図２（Ａ）は、ドッキングステーション２の具体的な構成を示すブロック図である。このドッキングステーション２には、図１に示すステーションコネクタ２００、ステーション内線呼出ボタン２０１、ステーションマイク２０２、ステーションスピーカ２０３及びステーション通話ボタン２０４と、ステーション電源部２０５と、子機側通信部２０６と、ステーション無線通信部２０７と、ステーション音声処理部２０８と、ステーションＣＰＵ２０９とが備えられている。
【００２５】
このドッキングステーション２において、ステーション電源部２０５は、ステーションＣＰＵ２０９により制御されるものであって、商用電源を整流・平滑し、当該ドッキングステーションの電源電圧及びハンディ端末３の電源電圧であるそれぞれの直流電圧を生成するための電源回路２５０と、電源回路２５０にて生成された直流電圧を充電するための充電回路２５１とが備えられている。また、子機側通信部２０６は、伝送路Ｌ1及びステーション音声処理部２０８の間の有線による信号伝送ラインと、伝送路Ｌ1及びステーションＣＰＵ２０９の間の有線による信号伝送ラインとをそれぞれ形成するためのものである。また、ステーション無線通信部２０７は、ステーションＣＰＵ２０９及びハンディ端末３の間の無線による信号伝送ラインを形成し、入出力される各種の信号を信号処理するにあたり、例えば、変調又は復調、増幅等を行うものであって、通常、アンテナが備えられている。また、ステーション音声処理部２０８は、ステーションＣＰＵ２０９により制御されるものであって、ステーションマイク２０２及びステーションスピーカ２０３にて入出力される音声信号について信号処理するにあたり、例えば、アナログ／デジタル変換又はデジタル／アナログ変換、増幅等を行うものである。さらに、ステーションＣＰＵ２０９は、当該ドッキングステーションの構成各部を制御するとともに、入出力される各種の信号を信号処理するにあたり、例えば、圧縮又は伸張、増幅等を行うものであって、ステーションコネクタ２００にハンディ端末３の端末コネクタ３００が接続されたとき、ステーション電源部２０５（の充電回路２５１）から当該ハンディ端末の後述する端末電源部３０７への電力供給と、玄関子機１のカメラ１０１にて撮像し生成された映像信号を有線でモニタ３０５へ高画質で出画する信号送信とを行うことができる。
【００２６】
図２（Ｂ）は、ハンディ端末３の具体的な構成を示すブロック図である。このハンディ端末３には、図１に示す端末コネクタ３００、端末内線呼出ボタン３０１、端末マイク３０２、端末スピーカ３０３、端末通話ボタン３０４、モニタ３０５及びモニタボタン３０６と、端末電源部３０７と、端末無線通信部３０８と、端末音声処理部３０９と、端末映像処理部３１０と、端末ＣＰＵ３１１とが備えられている。
【００２７】
このハンディ端末３において、端末電源部３０７は、端末ＣＰＵ３１１により制御されるものであって、コネクタ接続されるドッキングステーション２のステーション電源部２０５からの電力供給を充電するための充電回路３７０と、充電回路３７０にて充電された直流電圧を蓄電するための例えば、二次電池にて構成される電池回路３７１と、コネクタ接続されるドッキングステーション２のステーション電源部２０５からの電力供給、又は電池回路３７１に予め蓄電されていた直流電源を整流・平滑し、当該ハンディ端末の電源電圧を生成するための電源回路３７２とが備えられている。また、端末無線通信部３０８は、端末ＣＰＵ３１１及びドッキングステーション２の間の無線による信号伝送ラインを形成し、入出力される各種の信号を信号処理するにあたり、例えば、変調又は復調、増幅等を行うものであって、通常、アンテナが備えられている。また、端末音声処理部３０９は、端末ＣＰＵ３１１により制御されるものであって、端末マイク３０２及び端末スピーカ３０３にて入出力される音声信号について信号処理するにあたり、例えば、アナログ／デジタル変換又はデジタル／アナログ変換、増幅等を行うものである。また、端末映像処理部３１０は、端末ＣＰＵ３１１により制御されるものであって、モニタ３０５に出画させる映像信号について信号処理するにあたり、例えば、復調、増幅等を行うものである。さらに、端末ＣＰＵ３１１は、当該ハンディ端末の構成各部を制御するとともに、入出力される各種の信号を信号処理するにあたり、例えば、圧縮又は伸張、増幅等を行うものである。
【００２８】
このように構成された本発明の実施例によるワイヤレスインターホン装置において、以下、具体的な動作について説明する。
【００２９】
最初に、第１の動作として、図１に示すように、ドッキングステーション２のステーションコネクタ２００にハンディ端末３の端末コネクタ３００が接続、すなわち、コネクタ接続されている状態であり、来訪者による玄関子機１からの呼び出しもない待受時において、ドッキングステーション２の構成各部への電源電圧は、図２（Ａ）に示すステーション電源部２０５の電源回路２５０にて整流・平滑された直流電源が適用される一方、ハンディ端末３の構成各部への電源電圧は、ステーション電源部２０５の電源回路２５０にて整流・平滑された後、充電回路２５１、ステーションコネクタ２００及び図２（Ｂ）に示す端末コネクタ３００を経由して端末電源部３０７の電源回路３７２に電力供給される直流電源が適用され、電源回路３７２への直流電源は、通常、充電回路３７０を経由して電池回路３７１に蓄電されている。なお、前述の待受時において、玄関子機１には、ステーション電源部２０５の電源回路２５０にて整流・平滑された直流電源が待受電源として電力供給されている。
【００３０】
次に、第１の動作である前述の待受時において、住戸玄関に居る来訪者が図１に示す玄関子機１の呼出ボタン１００を操作すると、伝送路Ｌ1、図２（Ａ）に示すドッキングステーション２の子機側通信部２０６を経由してステーションＣＰＵ２０９に呼出信号が送信される。この呼出信号を検出したステーションＣＰＵ２０９は、ステーション電源部２０５を制御して、電源回路２５０から呼出時における所定の電圧レベルの直流電源を電力供給させるとともに、来訪者からの呼び出しがある旨の呼出音や音声メッセージ等をステーションスピーカ２０３から出力させて呼出報知を行うことができる。また、ステーションＣＰＵ２０９は、玄関子機１のカメラ１０１を駆動させることができる。このカメラ１０１にて撮像された映像信号は、伝送路Ｌ1、子機側通信部２０６を経由してステーションＣＰＵ２０９に送信される。さらに、ステーションＣＰＵ２０９は、玄関子機１からの呼出信号及び映像信号を圧縮し、ステーション電源部２０５の充電回路２５１からの直流電源に重畳させた状態で、ステーションコネクタ２００、図２（Ｂ）に示す端末コネクタ３００を経由して端末ＣＰＵ３１１に有線送信することができる。ここで、ステーションＣＰＵ２０９が映像信号を圧縮するにあたり、有線送信の伝送速度としては、例えば、１Ｍｂｐｓが適用されており、ＱＶＧＡサイズで１５〜３０ｆｐｓ程度の高画質の信号送信が可能となる。
【００３１】
図２（Ｂ）に示すハンディ端末３の端末ＣＰＵ３１１は、図１、図２（Ａ）に示すドッキングステーション２を経由して玄関子機１から伝送されてきた呼出信号を検出すると、端末電源部３０７を制御して、電源回路３７２から呼出時における所定の電圧レベルの直流電源を供給させるとともに、モニタ３０５を出画状態に制御し、さらには、端末映像処理部３１０が能動となるように制御することができる。また、端末ＣＰＵ３１１は、ドッキングステーション２を経由して玄関子機１から伝送されてきた映像信号を検出すると、この映像信号を伸張し、端末映像処理部３１０を経由して復調させることにより、カメラ１０１にて撮像し生成された来訪者の映像や住戸外の映像を、ＱＶＧＡサイズで１５〜３０ｆｐｓ程度の高画質で出画させることができる。なお、モニタ３０５には、玄関子機１のカメラ１０１にて撮像された来訪者の映像や住戸外の映像のみならず、端末ＣＰＵ３１１の制御により、来訪者からの呼び出しがある旨の文字メッセージや絵データ等を表示させることもできる。
【００３２】
次に、第１の動作として、前述の呼出報知を確認した居住者として、図１、図２（Ａ）に示すドッキングステーション２を使用する居住者は、ステーション通話ボタン２０４を操作して来訪者からの呼び出しに応答することができる。この応答操作を検出したステーションＣＰＵ２０９は、ステーション音声処理部２０８が能動となるように制御することができる。この制御により、居住者が使用するステーションマイク２０２及びステーションスピーカ２０３と、ステーション音声処理部２０８、子機側通信部２０６、伝送路Ｌ1を経由して、来訪者が使用する玄関子機１の子機マイク１０２及び子機スピーカ１０３との間の信号伝送ラインが形成され、形成された信号伝送ラインを経由して音声信号（送話音声信号、受話音声信号）を送受信させることにより通話が成立する。
【００３３】
一方、前述の呼出報知を確認した居住者として、図１、図２（Ｂ）に示すハンディ端末３を使用する居住者は、コネクタ接続されているドッキングステーション２から当該ハンディ端末を取り外し、端末通話ボタン３０４を操作して来訪者からの呼び出しに応答することができる。この応答操作を検出した端末ＣＰＵ３１１及びステーションＣＰＵ２０９は、端末音声処理部３０９及びステーション音声処理部２０８がそれぞれ能動となるように制御することができる。これらの制御により、居住者が使用する端末マイク３０２及び端末スピーカ３０３と、端末音声処理部３０９、端末ＣＰＵ３１１、端末無線通信部３０８、ドッキングステーション２のステーション無線通信部２０７、ステーションＣＰＵ２０９、ステーション音声処理部２０８、子機側通信部２０６、伝送路Ｌ1を経由して、来訪者が使用する玄関子機１の子機マイク１０２及び子機スピーカ１０３との間の信号伝送ラインが形成され、形成された信号伝送ラインを経由して音声信号（送話音声信号、受話音声信号）を送受信させることにより通話が成立する。
【００３４】
なお、図１、図２（Ｂ）に示すハンディ端末３の端末通話ボタン３０４が居住者により操作されて来訪者との間で通話が成立しているとき、当該ハンディ端末の動作電源は、図２（Ａ）に示すドッキングステーション２のステーション電源部２０５からの電力供給に伴う端末電源部３０７の電源回路３７２からの直流電源ではなく、これに代わり、端末電源部３０７の電池回路３７１に予め蓄電されており電源回路３７２にて整流・平滑された直流電源が適用されるように、この電力供給は、端末ＣＰＵ３１１の制御により切り替えられる。
【００３５】
また、図１、図２（Ｂ）に示すハンディ端末３の端末通話ボタン３０４が居住者により操作されて来訪者との間で通話が成立しているとき、これを検出した図２（Ａ）に示すドッキングステーション２のステーションＣＰＵ２０９は、玄関子機１からの映像信号を圧縮し、ステーション無線通信部２０７にて変調させた無線信号でハンディ端末３に無線送信することができる。ここで、ステーションＣＰＵ２０９が映像信号を圧縮するにあたり、無線送信の伝送速度としては、例えば、４０ｋｂｐｓが適用されており、ＱＱＶＧＡサイズで１ｆｐｓ程度の低画質の信号送信が可能となるため、ハンディ端末３のモニタ３０５には、前述の高画質の映像信号から切り替えられた低画質の映像信号が出画されることになり、ハンディ端末３を使用する居住者にとっては、この低画質の映像信号を確認しながら来訪者との通話を成立させることができる。
【００３６】
次に、第２の動作として、図１に示すように、ドッキングステーション２のステーションコネクタ２００にハンディ端末３の端末コネクタ３００が未接続、すなわち、コネクタ接続されていない状態であり、来訪者による玄関子機１からの呼び出しもなく、また、ドッキングステーション２及びハンディ端末３をそれぞれ使用する居住者との間で内線呼び出しもない待受時において、ドッキングステーション２の構成各部への電源電圧は、図２（Ａ）に示すステーション電源部２０５の電源回路２５０にて整流・平滑された直流電源が適用される一方、ハンディ端末３の構成各部への電源電圧は、図２（Ｂ）に示す端末電源部３０７の蓄電回路３７１に予め蓄電されており電源回路３７２にて整流・平滑された直流電源が適用される。
【００３７】
次に、第２の動作である前述の待受時において、住戸玄関に居る来訪者が図１に示す玄関子機１の呼出ボタン１００を操作すると、伝送路Ｌ1、図２（Ａ）に示すドッキングステーション２の子機側通信部２０６を経由してステーションＣＰＵ２０９に呼出信号が送信される。この呼出信号を検出したステーションＣＰＵ２０９は、ステーション電源部２０５を制御して、電源回路２５０から呼出時における所定の電圧レベルの直流電源を電力供給させるとともに、来訪者からの呼び出しがある旨の呼出音や音声メッセージ等をステーションスピーカ２０３から出力させて呼出報知を行うことができる。また、ステーションＣＰＵ２０９は、玄関子機１のカメラ１０１を駆動させることができる。このカメラ１０１にて撮像された映像信号は、伝送路Ｌ1、子機側通信部２０６を経由してステーションＣＰＵ２０９に送信される。さらに、ステーションＣＰＵ２０９は、玄関子機１からの呼出信号及び映像信号を圧縮し、ステーション無線通信部２０７にて変調させた無線信号でハンディ端末３に無線送信することができる。ここで、ステーションＣＰＵ２０９が映像信号を圧縮するにあたり、無線送信の伝送速度としては、例えば、４０ｋｂｐｓが適用されており、ＱＱＶＧＡサイズで１ｆｐｓ程度の低画質の信号送信が可能となる。
【００３８】
図２（Ｂ）に示すハンディ端末３の端末無線通信部３０８は、図１、図２（Ａ）に示すドッキングステーション２からの呼出信号及び映像信号を復調し、端末ＣＰＵ３１１に送信する。この端末ＣＰＵ３１１は、ドッキングステーション２を経由して玄関子機１から伝送されてきた呼出信号を検出すると、端末電源部３０７を制御して、蓄電回路３７１に予め蓄電されており電源回路３７２にて整流・平滑された呼出時における所定の電圧レベルの直流電源を電力供給させるとともに、来訪者からの呼び出しがある旨の呼出音や音声メッセージ等を端末スピーカ３０３から出力させて呼出報知を行うことができる。また、端末ＣＰＵ３１１は、モニタ３０５を出画状態に制御し、さらには、端末映像処理部３１０が能動となるように制御することができる。また、端末ＣＰＵ３１１は、ドッキングステーション２を経由して玄関子機１から伝送されてきた映像信号を検出すると、この映像信号を伸張し、端末映像処理部３１０を経由して復調させることにより、カメラ１０１にて撮像された来訪者の映像や住戸外の映像を、ＱＱＶＧＡサイズで１ｆｐｓ程度の低画質で出画させることができる。なお、モニタ３０５には、玄関子機１のカメラ１０１にて撮像された来訪者の映像や住戸外の映像のみならず、端末ＣＰＵ３１１の制御により、来訪者からの呼び出しがある旨の文字メッセージや絵データ等を表示させることもできる。
【００３９】
なお、第２の動作において、前述の呼出報知を確認した居住者として、ドッキングステーション２又はハンディ端末３を使用する居住者が所定の応答操作を行い、来訪者との間で通話を成立させる動作は、第１の動作における該当動作と同一であるため、その説明は省略するものとする。
【００４０】
次に、第３の動作として、図１に示すように、ドッキングステーション２のステーションコネクタ２００にハンディ端末３の端末コネクタ３００が未接続、すなわち、コネクタ接続されていない状態であり、来訪者による玄関子機１からの呼び出しもない待受時において、ドッキングステーション２を使用する居住者がステーション内線呼出ボタン２０１を操作、ここでは、通常モードの内線呼び出しのための例えば、ワンショト操作を行うと、この操作を検出した図２（Ａ）に示すステーションＣＰＵ２０９は、内線呼出信号を生成し、ステーション無線通信部２０７にて変調させた無線信号でハンディ端末３に無線送信することができる。
【００４１】
図２（Ｂ）に示すハンディ端末３の端末無線通信部３０８は、図１、図２（Ａ）に示すドッキングステーション２からの内線呼出信号を復調し、端末ＣＰＵ３１１に送信する。この端末ＣＰＵ３１１は、ドッキングステーション２からの内線呼出信号を検出すると、端末電源部３０７を制御して、蓄電回路３７１に予め蓄電されており電源回路３７２にて整流・平滑された呼出（内線呼出）時における所定の電圧レベルの直流電源を電力供給させるとともに、ドッキングステーション２を使用した居住者からの内線呼び出しがある旨の呼出音や音声メッセージ等を端末スピーカ３０３から出力させて呼出報知を行うことができる。また、端末ＣＰＵ３１１は、モニタ３０５を出画状態に制御し、ドッキングステーション２を使用した居住者からの内線呼び出しがある旨の文字メッセージや絵データ等を表示させることもできる。
【００４２】
次に、第３の動作として、前述の呼出報知を確認した図１、図２（Ｂ）に示すハンディ端末３を使用する居住者は、端末通話ボタン３０４を操作して図２（Ａ）に示すドッキングステーション２を使用した別途の居住者からの内線呼び出しに応答することができる。この応答操作を検出した端末ＣＰＵ３１１及びステーションＣＰＵ２０９は、端末音声処理部３０９及びステーション音声処理部２０８がそれぞれ能動となるように制御することができる。これらの制御により、呼出先の居住者が使用する端末マイク３０２及び端末スピーカ３０３と、端末音声処理部３０９、端末ＣＰＵ３１１、端末無線通信部３０８、ドッキングステーション２のステーション無線通信部２０７、ステーションＣＰＵ２０９、ステーション音声処理部２０８を経由して、呼出元の居住者が使用するステーションマイク２０２及びステーションスピーカ２０３との間の信号伝送ラインが形成され、形成された信号伝送ラインを経由して音声信号（送話音声信号、受話音声信号）を送受信させることにより通話が成立する。
【００４３】
なお、前述までの第３の動作によれば、図１、図２（Ａ）に示すドッキングステーション２を使用する居住者がステーション内線呼出ボタン２０１を操作するにあたり、通常モードの内線呼び出しのための例えば、ワンショト操作を行った場合の動作について説明したが、この操作に限定されず、連続モードの内線呼び出しのために、例えば、長押し等の所定の操作を行うこともできる。この操作を検出したステーションＣＰＵ２０９は、通常モードの内線呼出時とは異なるパルス幅の内線呼出信号を生成し、図２（Ｂ）に示すハンディ端末３の端末ＣＰＵ３１１に送信することができる。
【００４４】
図２（Ｂ）に示すハンディ端末３の端末無線通信部３０８は、図１、図２（Ａ）に示すドッキングステーション２からの連続モードの内線呼出信号を検出すると、端末電源部３０７を制御して、蓄電回路３７１に予め蓄電されており電源回路３７２にて整流・平滑された呼出（内線呼出）時における所定の電圧レベルの直流電源を電力供給させるとともに、ドッキングステーション２を使用した居住者からの連続モードの内線呼び出しがある旨の呼出音や音声メッセージ等を端末スピーカ３０３から出力させて呼出報知を行うことができる。また、端末ＣＰＵ３１１は、モニタ３０５を出画状態に制御し、ドッキングステーション２を使用した居住者からの連続モードの内線呼び出しがある旨の文字メッセージや絵データ等を表示させることもできる。これらの呼出報知により、ハンディ端末３の紛失等の理由でその所在が不明な場合であっても、その発見が容易となる。
【００４５】
次に、第４の動作として、図１に示すように、ドッキングステーション２のステーションコネクタ２００にハンディ端末３の端末コネクタ３００が未接続、すなわち、コネクタ接続されていない状態であり、来訪者による玄関子機１からの呼び出しもない待受時において、ハンディ端末３を使用する居住者が端末内線呼出ボタン３０１を操作すると、この呼出操作を検出した図２（Ｂ）に示す端末ＣＰＵ３１１は、内線呼出信号を生成し、端末無線通信部３０８にて変調させた無線信号でドッキングステーション２に無線送信することができる。
【００４６】
図２（Ａ）に示すドッキングステーション２のステーション無線通信部２０７は、図１、図２（Ｂ）に示すハンディ端末３からの内線呼出信号を復調し、ステーションＣＰＵ２０９に送信する。このステーションＣＰＵ２０９は、ハンディ端末３からの内線呼出信号を検出すると、ステーション電源部２０５を制御して、電源回路２５０から呼出（内線呼出）時における所定の電圧レベルの直流電源を電力供給させるとともに、ハンディ端末３を使用した居住者からの内線呼び出しがある旨の呼出音や音声メッセージ等をステーションスピーカ２０３から出力させて呼出報知を行うことができる。
【００４７】
次に、第４の動作として、前述の呼出報知を確認した図１、図２（Ａ）に示すドッキングステーション２を使用する居住者は、ステーション通話ボタン２０４を操作して図２（Ｂ）に示すハンディ端末３を使用した別途の居住者からの内線呼び出しに応答することができる。この応答操作を検出したステーションＣＰＵ２０９及び端末ＣＰＵ３１１は、ステーション音声処理部２０８及び端末音声処理部３０９がそれぞれ能動となるように制御することができる。この制御により、呼出先の居住者が使用するステーションマイク２０２及びステーションスピーカ２０３と、ステーション音声処理部２０８、ステーションＣＰＵ２０９、ステーション無線通信部２０７、ハンディ端末３の端末無線通信部３０７、端末ＣＰＵ３１１、端末音声処理部３０８を経由して、呼出元の居住者が使用する端末マイク３０２及び端末スピーカ３０３との間の信号伝送ラインが形成され、形成された信号伝送ラインを経由して音声信号（送話音声信号、受話音声信号）を送受信させることにより通話が成立する。
【００４８】
本発明のワイヤレスインターホン装置によれば、特定の実施の形態をもって説明してきたが、この形態に限定されるものでなく、本発明の効果を奏する限り、これまで知られた如何なる構成の当該装置であっても採用できるということはいうまでもないことである。
【図面の簡単な説明】
【００４９】
【図１】図１は、本発明の実施例によるワイヤレスインターホン装置の全体構成を示すシステム説明図である。
【図２】図２（Ａ）は、本発明の実施例によるワイヤレスインターホン装置において、ドッキングステーションの具体的な構成を示すブロック図である。また、図２（Ｂ）は、本発明の実施例によるワイヤレスインターホン装置において、ハンディ端末の具体的な構成を示すブロック図である。
【符号の説明】
【００５０】
１……玄関子機
１０１……カメラ
２……ドッキングステーション
２００……ステーションコネクタ
２０１……ステーション内線呼出ボタン
２０２……ステーションマイク
２０３……ステーションスピーカ
２０５……ステーション電源部
２０９……ステーションＣＰＵ
３……ハンディ端末
３００……端末コネクタ
３０１……端末内線呼出ボタン
３０２……端末マイク
３０３……端末ピーカ
３０５……モニタ
３０７……端末電源部
【図１】
2010034867.tif 000003
【図２】
2010034867.tif 000004